(57)【要約】      （修正有）【課題】納棺作業等に支障を来たすことなく、遺体を優しく包み込むように納棺でき、遺族等の心を和ませ、温かみを感じさせることができると共に、棺が揺れても安全、安心して運搬できるようにする装飾棺を提供する。【解決手段】上面を開口した箱形の棺本体１と、この棺本体１の上面を閉塞する蓋２とで形成する。棺本体１の内面を、パディング加工した化粧材３で仕上げる。この場合、棺本体１の側板１ａ、１ｂの外面も、パディング加工した化粧材３で仕上げるのが好ましい。また、蓋２の少なくとも上面を、パディング加工した化粧材３で仕上げるのが良い。【選択図】図１
0003192690.tif 000002
【実用新案登録請求の範囲】
【請求項１】
上面が開口されている箱形の棺本体と、この棺本体の上面を閉塞する蓋とで形成されている棺であって、上記の棺本体の内面が、パディング加工された化粧材で仕上げられていることを特徴とする装飾棺。
【請求項２】
請求項1記載の装飾棺であって、棺本体の側板の外面も、パディング加工された化粧材で仕上げられていることを特徴とする装飾棺。
【請求項３】
上面が開口されている箱形の棺本体と、この棺本体の上面を閉塞する蓋とで形成されている棺であって、上記の棺本体の外面が、パディング加工された化粧材で仕上げられていることを特徴とする装飾棺。
【請求項４】
請求項1乃至３の何れかに記載の装飾棺であって、蓋の少なくとも上面が、パディング加工された化粧材で仕上げられていることを特徴とする装飾棺。
【考案の詳細な説明】
【技術分野】
【０００１】
本考案は、棺に関し、更に詳しくは遺体を優しく包み込み、遺族等の心を和ませ、温かみを感じることができるよう形成した装飾棺に関するものである。
【背景技術】
【０００２】
従来この種の棺としては、模様を印刷したシートを、蓋や棺本体の外面に貼り付けているものがある（例えば特許文献１参照）。
また従来、例えば特許文献２に記載されているように、布で装飾した棺も提案されている。この従来例は、側壁の内側に装飾布帛を段重ね状に垂らし、底面にも布帛を重ねて敷設しているものである。
【０００３】
而して、特許文献１の従来品は、上記の通り、印刷シートを蓋や棺本体の外面に貼り、棺の外面を平面状のシートで飾っているのに過ぎなかった。
従って、この従来品によると、遺体を、やさしく包み込むように納棺できず、遺族等の心を和ませたり、やわらげたりするには不十分であった。
【０００４】
また特許文献２の従来品は、棺の内面に垂らされている布帛で遺体を包むように納棺できるが、これによると、納棺時に布帛が捲れて体裁良く納棺できにくい、という問題があった。
またこの従来品の場合は、遺体の周りに故人の愛用品などを納める際にも、布帛が支障になり易かった。
【０００５】
ところで、従来、棺を居宅から運び出したり、或いは台車に載せたりする際、棺を揺らしてしまうことがある。この場合、従来の棺は、この種の揺れから遺体を保護する特別な手段が講じられていなかったから、遺体が棺の内面にぶつかることがあり、遺体を安全、安心して運搬できない、という問題があった。
【先行技術文献】
【特許文献】
【０００６】
【特許文献１】特開２００５−１０２８００号公報
【特許文献２】実開平７−２４３２７号公報
【考案の概要】
【考案が解決しようとする課題】
【０００７】
本考案は、このような従来品の問題点に鑑み、提案されたものである。
従って本考案の解決しようとする技術的課題は、納棺作業等に支障を来たすことなく、遺体を優しく包み込むように納棺でき、遺族等の心を和ませ、温かみを感じさせることができると共に、棺が揺れても安全、安心して運搬できるよう形成した装飾棺を提供することにある。
【課題を解決するための手段】
【０００８】
本考案は、上記の課題を解決するため、次のような技術的手段を採る。
即ち、本考案は、図１等に示されるように、上面が開口されている箱形の棺本体１と、この棺本体１の上面を閉塞する蓋２とで形成されている棺であって、上記の棺本体１の内面が、パディング加工された化粧材３で仕上げられていることを特徴とする（請求項１）
【０００９】
本発明の場合、棺本体１の内面は、棺本体１の内面の全体には限られず、例えば棺本体１の底面を除き、棺本体１の長手方向と短手方向に沿った各側板１ａ、１ｂの内面だけでも良い。ここで、パディング加工とは、表布３ａと裏布３ｂの間にウレタンなどの芯材３ｃを入れ、適宜箇所をボタン状の部材３ｄで止め付け、ふくらみをつける技法を意味する。化粧材３は、通常、棺本体１の内面に貼り付けられるが、底板１ｃの場合は上面に敷かれるのでも良い。
【００１０】
而して、本考案は、図５、図６に示されるように、棺本体１の側板１ａ、１ｂの外面も、パディング加工された化粧材３で仕上げられているのが好ましい（請求項２）。
【００１１】
なぜならこれによると、納棺により棺本体１の内部の化粧材３が見えにくくなっても、棺本体１の側板１ａ、１ｂの外面の化粧材３を介して温かみ等の感情を遺族等に抱かせることができるからである。
【００１２】
また本考案の他の構成としては、図７、図８に示されるように、上面が開口されている箱形の棺本体１と、この棺本体１の上面を閉塞する蓋２とで形成されている棺であって、上記の棺本体１の外面が、パディング加工された化粧材３で仕上げられていることを特徴とするものがある（請求項３）
【００１３】
この本発明によれば、納棺作業等に支障を来たすことなく、遺体４を優しく包み込むように納棺でき、遺族等の心を和ませ、温かみを感じさせることができ、請求項１記載の本発明と共通の課題を達成できる。
【００１４】
而して、本考案品は、図５、図７等に示されるように、蓋２の少なくとも上面が、パディング加工された化粧材３で仕上げられているのが好ましい（請求項４）。
【００１５】
なぜならこの場合は、蓋２を被せたとき、蓋２を介して遺族等の気持を和ませることができるからである。ここで、少なくとも上面とは、蓋２の上面だけではなく、下面も化粧材３で仕上げられているのでも良い、ということを意味する。
【考案の効果】
【００１６】
本考案は、このように上面が開口されている箱形の棺本体と、この棺本体の上面を閉塞する蓋とで形成されている棺であって、上記の棺本体の内面又は外面を、パディング加工した化粧材で仕上げているものである。
【００１７】
従って、本考案の場合は、棺本体の内面を、厚みや立体感のある状態で装飾できる。それ故、これによれば、遺体を優しく包み込むように納棺でき、遺族等の心をやわらげ和ませることができる。
【００１８】
また本考案は、化粧材が納棺等の際に、従来品のように捲れたりすることがない。
従って、これによれば、化粧材が納棺等の作業に支障を来たすことがない。
【００１９】
また請求項１記載の本考案は、化粧材によって棺本体にクッション性を持たせることができる。
従って、これによれば、棺が運搬等の際に揺れても、遺体を傷付かせることなく、安全に且つ安心して運搬できる。
【図面の簡単な説明】
【００２０】
【図１】本考案の棺の好適な一実施形態を示す斜視図である。
【図２】同上棺の要部斜視図である。
【図３】同上棺の要部断面図である。
【図４】棺本体の使用状態を示す平面図である。
【図５】同上棺の他の実施形態を示す斜視図である。
【図６】図５の本考案品の要部断面図である。
【図７】本考案の棺の他の構成を示す斜視図である。
【図８】図７の本考案品の要部断面図である。
【考案を実施するための形態】
【００２１】
以下、本考案を実施するための好適な一実施形態を、添付図面に従って説明する。
本考案の棺は、図１等に示されるように、上面が開口されている箱形の棺本体１と、この棺本体１の上面を閉塞する蓋２とで形成されている。
【００２２】
上記の棺本体１の内面は、パディング加工された化粧材３で仕上げられている。化粧材３は、この実施形態では棺本体１の長手方向に沿った両側板１ａと短手方向に沿った両側板１ｂの内面、及び底板１ｃの上面に貼り付けられている。
【００２３】
ここで、パディング加工とは、表布３ａと裏布３ｂの間にウレタンなどの芯材３ｃを入れ、適宜箇所をボタン状の部材３ｄで止め付け、ふくらみをつける技法である。この実施形態では、棺本体１の側板１ａ、１ｂと底板１ｃは、全体の雰囲気が調和するよう、パディング加工の模様状態、及び色が同一のもので仕上げられている。
【００２４】
本考案は、このように、棺本体１の長手方向及び短手方向に沿った両側板１ａ、１ｂの内面、及び底面の上面が化粧材３で覆われている。従って、本考案品によれば、遺体４（図４参照）を化粧材３で包み込むように納棺できる。
【００２５】
また本考案品は、化粧材３がパディング加工されており、従来品のように布帛を垂らした状態ではない。従って、これによると、納棺等の際に化粧材３としての布帛を捲り上げたり、乱すことなく、体裁良く納棺できる。
【００２６】
また本考案は、棺を運搬する際に、衝撃や振動を受けて揺れることがあっても、棺本体１の内面がクッション性を有するから、遺体４を損傷させることがない。従って、これによれば、棺を安全、安心して運搬できる。
【００２７】
以上の処において、本考案は、図５、図６に示されるように、棺本体１の内面だけではなく、外面もパディング加工された化粧材３で仕上げられているのでも良い。
なぜなら、これによると、棺本体１の外面を介しても遺族等の心を和ませることができるからである。
【００２８】
この場合、化粧材３は、棺本体１の内面と外面で色や模様を違えて形成されているのでも良い。なぜなら、これによると、棺本体１のデザインを多様化でき、棺の商品価値を高めることができるからである。
【００２９】
また本考案は、図７、図８に示されるように、上面が開口されている箱形の棺本体１と、この棺本体１の上面を閉塞する蓋２とで形成されている棺であって、上記の棺本体１の外面が、パディング加工された化粧材３で仕上げられているのでも良い。
【００３０】
上例と同一部材、同一箇所には同一の符号を付し、詳しい説明は省略する。
この本発明によれば、納棺作業等に支障を来たすことなく、遺体４を優しく包み込むように納棺でき、遺族等の心を和ませ、温かみを感じさせることができるものである。
【００３１】
また本考案は、図５、図７等に示されるように、蓋２の少なくとも上面が、パディング加工された化粧材３で仕上げられているのでも良い。図５の実施形態では、蓋２の上面と下面の両面が化粧材３で仕上げられている。また図７の実施形態の場合は、蓋２の上面だけが化粧材３で仕上げられている。
【００３２】
化粧材３が蓋２の上面等に設けられている場合は、棺本体１に蓋２をした後、蓋２の上面の化粧材３を介して遺族等の心を慰めることができる。またこの場合は、デザイン上、統一感のある棺を提供できる。
【符号の説明】
【００３３】
１      棺本体
１ａ    長手方向の側板
１ｂ    短手方向の側板
１ｃ    底板
２      蓋
３      化粧材
３ａ    表布
３ｂ    裏布
３ｃ    芯材
３ｄ    縫い付け部
４      遺体
【図１】
0003192690.tif 000003
【図２】
0003192690.tif 000004
【図３】
0003192690.tif 000005
【図４】
0003192690.tif 000006
【図５】
0003192690.tif 000007
【図６】
0003192690.tif 000008
【図７】
0003192690.tif 000009
【図８】
0003192690.tif 000010